(57)【要約】  必要な強度を確保しつつ、釣合いおもり側のコンペンチェーンの取付位置の自由度を向上させることが可能な釣合いおもり側のコンペンチェーンの取り付け構造を備えたエレベータ装置の釣合いおもり及びエレベータ装置を提供する。  コンペンチェーンを備えたエレベータ装置において、略Ｕの字状の断面形状の部分を備え、第１立ち上がり辺５ａ，５ｂが釣合いおもり枠２に対して垂直となる向きで、第１立ち上がり辺５ａ，５ｂを結ぶ第１連結辺５ｃが釣合いおもり枠２に固定された第１ブラケット５と、略Ｕの字状の断面形状の部分を備え、第２立ち上がり辺６ａ，６ｂを結ぶ第２連結辺６ｃが下側となる向きで、第２立ち上がり辺６ａ，６ｂが、第１ブラケット５の第１立ち上がり辺５ａ，５ｂに固定された第２ブラケット６とを有し、コンペンチェーンの端部を第２ブラケットの第２連結辺６ｃにより支持する。
2018100616.tif 000002
【特許請求の範囲】
【請求項１】
乗りかごと、釣合いおもりと、巻上機と、主ロープを備え、前記巻上機により前記主ロープを駆動して前記乗りかごと前記釣合いおもりを相対的に昇降させるエレベータ装置であって、一端が前記乗りかごの下部、他端が前記釣合いおもりの釣合いおもり枠の下部に連結され、中間部が昇降路内で折り返されるコンペンチェーンを備えたエレベータ装置において、
略Ｕの字状の断面形状の部分を備え、Ｕの字の対となる第１立ち上がり辺が前記釣合いおもり枠に対して垂直となる向きで、Ｕの字のこれらの第１立ち上がり辺を結ぶ第１連結辺が前記釣合いおもり枠に固定された第１ブラケットと、
略Ｕの字状の断面形状の部分を備え、Ｕの字の対となる第２立ち上がり辺を結ぶ第２連結辺が下側となる向きで、前記第２立ち上がり辺が、前記第１ブラケットの前記第１立ち上がり辺に固定された第２ブラケットとを有し、
前記コンペンチェーンの前記他端は、前記第２ブラケットの前記第２連結辺により支持されていることを特徴とするエレベータ装置。
【請求項２】
請求項１に記載のエレベータ装置において、
前記コンペンチェーンの前記他端は、Ｕ字ボルトを介して前記第２ブラケットの前記第２連結辺により支持されており、
前記Ｕ字ボルトの少なくとも一方のねじ部が前記第２ブラケットの前記第２連結辺に固定されていることを特徴とするエレベータ装置。
【請求項３】
請求項２に記載のエレベータ装置において、
前記第２ブラケットの前記第２連結辺には前記Ｕ字ボルトのねじ部が挿通される挿通孔が複数形成されており、
エレベータ装置の仕様に応じて、前記Ｕ字ボルトのねじ部が挿通される挿通孔が選定されていることを特徴とするエレベータ装置。
【請求項４】
請求項３に記載のエレベータ装置において、
前記釣合いおもり枠の対となって配置された下枠を跨ぐように配置されて固定された補強プレートを備え、
前記補強プレートには前記Ｕ字ボルトのねじ部が挿通される挿通孔が形成されており、
エレベータ装置の仕様に応じて、前記Ｕ字ボルトのねじ部が挿通される挿通孔が、前記第２ブラケットの前記第２連結辺に形成された複数の挿通孔及び前記補強プレートに形成された挿通孔から二つ選定されていることを特徴とするエレベータ装置。
【請求項５】
エレベータ装置の釣合いおもりであって、
両側に配置された一対の縦枠、前記縦枠の下端部を連結する下枠、および前記縦枠の上端部を連結する上枠を有する釣合いおもり枠と、前記下枠に固定され、コンペンチェーンが取り付けられるチェーン連結機構とを備え、
前記チェーン連結機構は、
略Ｕの字状の断面形状の部分を備え、Ｕの字の対となる第１立ち上がり辺が前記下枠に対して垂直となる向きで、Ｕの字のこれらの第１立ち上がり辺を結ぶ第１連結辺が前記下枠に固定された第１ブラケットと、
略Ｕの字状の断面形状の部分を備え、Ｕの字の対となる第２立ち上がり辺を結ぶ第２連結辺が下側となる向きで、前記第２立ち上がり辺が、前記第１ブラケットの前記第１立ち上がり辺に固定された第２ブラケットと、
前記コンペンチェーンが連結され、前記第２ブラケットの前記第２連結辺に固定されたＵ字ボルトを有することを特徴とするエレベータ装置の釣合いおもり。
【発明の詳細な説明】
【技術分野】
【０００１】
本発明は、エレベータ装置の釣合いおもり及びエレベータ装置に関する。
【背景技術】
【０００２】
エレベータ装置は、建屋に形成される昇降路に、主ロープによりつるべ式に懸架される乗りかごおよび釣合いおもりを備える。エレベータ装置には、例えば、特許文献１に記載のように、一端が乗りかご下部、他端が釣合いおもり下部に連結され、中間部が昇降路内で折り返されるコンペンチェーンを設けることがある。このようなコンペンチェーンは、乗りかごの昇降によって巻上機にかかるロープ重量のアンバランスを補正する機能を果たすものである。特許文献１には、コンペンチェーンの最少曲率半径を大きくすることができるように、コンペンチェーンに曲げ合成の高い帯状ベルトを締結することが開示されている。
【先行技術文献】
【特許文献】
【０００３】
【特許文献１】特開２０１１‐１１５２号公報
【発明の概要】
【発明が解決しようとする課題】
【０００４】
ところで、コンペンチェーンは許容曲げ半径が定められている。このため、乗りかご側を基準としてコンペンチェーンを取り付けた際、釣合いおもり側のコンペンチェーンの取付位置を釣合いおもり枠の投影面積内に設けることができない場合がある。釣合いおもり側のコンペンチェーンの取付位置を釣合いおもり枠の投影面積から外れたところとした場合、コンペンチェーンの取付位置が釣合いおもり芯から離れていくにつれて、コンペンチェーンと釣合いおもりとを連結する連結部材にかかるモーメント荷重が大きくなる。昇降距離が長いエレベータ装置においては、コンペンチェーンが長くなりコンペンチェーンが重くなるので、連結部材にかかるモーメント荷重がより大きくなる。【０００５】
特許文献１では、釣合いおもり側のコンペンチェーンの取り付け構造について特に考慮されていない。【０００６】
本発明の目的は、必要な強度を確保しつつ、釣合いおもり側のコンペンチェーンの取付位置の自由度を向上させることが可能な釣合いおもり側のコンペンチェーンの取り付け構造を備えたエレベータ装置の釣合いおもり及びエレベータ装置を提供することにある。
【課題を解決するための手段】
【０００７】
本発明は、一端が乗りかごの下部、他端が釣合いおもりの釣合いおもり枠の下部に連結され、中間部が昇降路内で折り返されるコンペンチェーンを備えたエレベータ装置において、略Ｕの字状の断面形状の部分を備え、Ｕの字の対となる第１立ち上がり辺が釣合いおもり枠に対して垂直となる向きで、Ｕの字のこれらの第１立ち上がり辺を結ぶ第１連結辺が釣合いおもり枠に固定された第１ブラケットと、略Ｕの字状の断面形状の部分を備え、Ｕの字の対となる第２立ち上がり辺を結ぶ第２連結辺が下側となる向きで、第２立ち上がり辺が、第１ブラケットの第１立ち上がり辺に固定された第２ブラケットとを有し、コンペンチェーンの他端が第２ブラケットの第２連結辺により支持されていることを特徴とする。
【発明の効果】
【０００８】
本発明によれば、釣合いおもり側のコンペンチェーンの取り付け構造について、必要な強度を確保しつつ、釣合いおもり側のコンペンチェーンの取付位置の自由度を向上させることを可能なものとすることができる。  
なお、上述した以外の課題、構成および効果は、以下の実施形態の説明により明らかにされる。
【図面の簡単な説明】
【０００９】
【図１】本発明の一実施形態に係るエレベータ装置の釣合いおもりを示す正面図である。
【図２】図１に示す釣合いおもり下部の断面図である。
【図３】図１に示す釣合いおもりにおけるブラケットおよびＵ字ボルトの正面図である。
【図４Ａ】図１に示す釣合いおもりにおける第１ブラケットの正面図である。
【図４Ｂ】図１に示す釣合いおもりにおける第１ブラケットの側面図である。
【図５Ａ】図１に示す釣合いおもりにおける第２ブラケットの断面図である
【図５Ｂ】図１に示す釣合いおもりにおける第２ブラケットの側面図である
【図５Ｃ】図１に示す釣合いおもりにおける第２ブラケットの裏面図である。
【図６】本発明の他の実施形態に係るエレベータ装置の釣合いおもり下部の断面図である。
【図７】本発明の一実施形態の釣合いおもりが適用されるエレベータ装置の一例を示す模式図である。
【発明を実施するための形態】
【００１０】
以下、本発明のエレベータ装置の釣合いおもり及びエレベータ装置を実施するための形態について、図１乃至図７を参照して説明する。なお、各図において同一または類似の構成には同じ符号を付して繰り返しの説明は省略する。
【００１１】
エレベータ装置は、例えば、図７に示すように、乗りかご２０、巻上機３０、主ロープ５０、釣合いおもり１を主な構成要素として構成されている。乗りかご２０の下部にはプーリビーム６０が固定され、プーリビーム６０にかご下プーリ６１，６２が取り付けられている。巻上機３０は昇降路の底部に設置されている。昇降路の頂部付近には固定板７０が設けられ、主ロープ５０の端部９１，９２が連結されている。また、固定板７０には、転向プーリ８１，８２が取り付けられている。釣合いおもり１にはプーリ３が取り付けられている。主ロープ５０は、一方の端部９１が固定板７０に連結され、巻上機３０のシーブ、転向プーリ８１、かご下プーリ６１，６２、転向プーリ８２、プーリ３に順に巻き掛けられて、他方の端部９２が固定板７０に連結されている。巻上機３０により主ロープ５０を駆動すると、乗りかごガイドレール（図示省略）に沿って乗かご２０が昇降すると共に、この乗かご２０の昇降に相対して釣合いおもり１が釣合いおもりガイドレール（図示省略）に沿って昇降する。また、乗りかご２０の昇降によって巻上機３０にかかるロープ重量のアンバランスを補正するため、コンペンチェーン４０が設けられている。コンペンチェーン４０の一端は、乗りかご下部のプーリビーム６０（またはプーリビームに連結されたコンペンチェーン取り付けビーム）に固定されたチェーン連結機構４１に連結され、コンペンチェーン４０の他端は、釣合いおもり１の下部に固定されたチェーン連結機構４に連結されている。なお、エレベータ装置の構成は、これに限定されるものではない。各プーリ及び巻上機の配置は、エレベータ装置の仕様に応じて適宜変更される。
【００１２】
次に、図１〜図６を用いて、本発明の一実施形態に係るエレベータ装置の釣合いおもり１の詳細構造を説明する。
【００１３】
図１は、本発明の一実施形態に係るエレベータ装置の釣合いおもりを示す正面図である。  
釣合いおもり１は、両側に配置された一対の縦枠２ａ，２ｂ、縦枠２ａ，２ｂの下端部を連結する下枠２ｃ、および縦枠２ａ，２ｂの上端部を連結する上枠２ｄを有する釣合いおもり枠２と、上枠２ｄに取り付けられ、主ロープ（図示省略）が巻き掛けられるプーリ３と、コンペンチェーン（図示省略）が取り付けられるチェーン連結機構４とを備えている。釣合いおもり枠２には、乗りかごの自重に応じて複数のウェート（図示省略）が積載され、釣合いおもり枠２およびウェートで釣合いおもり本体を構成している。
【００１４】
縦枠２ａ，２ｂは、釣合いおもりを真上から見た場合、それぞれＵ字状の断面形状を有しており、それぞれの開口部が互いに向き合うように配置されている。上枠２ｄ及び下枠２ｃは、それぞれ２枚の板材が対となって配置されており、その両端がボルトにより縦枠２ａ，２ｂに固定されている。
【００１５】
次に、必要強度を確保し、かつ、釣合いおもり側のコンペンチェーンの取付位置の自由度を向上させるための構造について説明する。  
図２は、本実施形態における釣合いおもり下部の断面図である。図３は、本実施形態におけるブラケットおよびＵ字ボルトの正面図である。図４Ａ〜図４Ｂは、本実施形態における第１ブラケットを示し、図４Ａは正面図、図４Ｂは側面図である。図５Ａ〜図５Ｃは、本実施形態における第２ブラケットを示し、図５Ａは断面図、図５Ｂは側面図、図５Ｃは裏面図である。
【００１６】
本実施形態において、チェーン連結機構４は、第１ブラケット５と、第２ブラケット６と、Ｕ字ボルト７とで構成されている。
【００１７】
第１ブラケット５は、図４に示すように、略Ｕの字状の断面形状を有し、第１立ち上がり辺５ａ，５ｂと、これらの第１立ち上がり辺５ａ，５ｂを結ぶ第１連結辺（Ｕの字の底辺）５ｃと、第１連結辺５ｃに形成され、取付ボルト８が挿通される挿通孔５ｄ，５ｅと、第１立ち上がり辺５ａ，５ｂに形成され、固定ボルト９が挿通される挿通孔５ｆ，５ｇとを備えている。
【００１８】
第２ブラケット６は、図５に示すように、略Ｕの字状の断面形状を有し、第２立ち上がり辺６ａ，６ｂと、これらの第２立ち上がり辺６ａ，６ｂを結ぶ第２連結辺（Ｕの字の底辺）６ｃと、第２連結辺６ｃに形成され、Ｕ字ボルト７が挿通される挿通孔６ｄ，６ｅ，６ｆと、第２立ち上がり辺６ａ，６ｂに形成され、固定ボルト９が挿通される挿通孔６ｇ，６ｈとを備えている。
【００１９】
Ｕ字ボルト７は、Ｕの字形状のボルトで、両端にねじ山が切られてねじ部７ａ，７ｂを形成している。
【００２０】
なお、第１ブラケット５の幅寸法（第１立ち上がり辺の立ち上がり方向の寸法）Ｌ１や挿通孔５ｄ〜５ｇの形成位置、および第２ブラケット６の幅寸法（第２立ち上がり辺の幅方向の寸法）Ｌ２や挿通孔６ｄ〜６ｈの形成位置は、エレベータの仕様によるコンペンチェーンの取付位置に応じて任意に設定されるものである。
【００２１】
そして、第１ブラケット５は、図１乃至図３に示すように、下枠２ｃに対して第１立ち上がり辺５ａ，５ｂが垂直となる向きで、第１連結辺５ｃが補強部材（プレート）１０と共に下枠２ｃの一方（図面では左側の下枠２ｃ）に取付ボルト８により固定される。すなわち、補強部材１０および下枠２ｃには、挿通孔５ｄ，５ｅに対応した位置にそれぞれ挿通孔が形成されている。第１連結辺５ｃを補強部材１０および下枠２ｃに対向させた状態で、取付ボルト８を第１ブラケットの挿通孔５ｄ，５ｅおよび補強部材１０と下枠２ｃの挿通孔に挿通し、その端部にナット１１を螺合して第１ブラケット５を補強部材１０および下枠２ｃに固定する。なお、補強部材１０は、図２に示すように、略Ｕの字状の断面形状を有し、対となって配置される下枠２ｃに跨るように配置されている。本実施形態では対となって配置される下枠２ｃを下側から挟み込むように配置されている。補強部材１０の一方の立ち上がり部は、上記したように、第１ブラケットと一方の下枠２ｃに挟み込まれた状態で固定され、補強部材１０の他方の立ち上がり部は他方の下枠２ｃにボルト８およびナット１１を用いて固定されている。
【００２２】
また、第２ブラケット６は、第２連結辺６ｃが下側となる向き（Ｕの字の開口部が上向き）で、第２立ち上がり辺６ａ，６ｂが立ち上がる方向と第１立ち上がり辺５ａ，５ｂが立ち上がる方向とが直交するように配置される。また、本実施形態では、第２ブラケットの第２立ち上がり辺６ａ，６ｂの内側間の距離は、第１ブラケットの第１立ち上がり辺５ａ，５ｂの外側間の距離が略等しくなっている。その逆の関係でも良いが、第２連結辺６ｃのＵ字ボルト７の設置スペースを考慮すると、前者の方が望ましい。第１立ち上がり辺５ａ，５ｂ及び第２ブラケットの第２立ち上がり辺６ａ，６ｂは固定ボルト９およびナット１２により固定される。すなわち、第１ブラケット５の第１立ち上がり辺５ａと第２ブラケット６の第２立ち上がり辺６ａとを対向させ、挿通孔５ｆと挿通孔６ｇを合わせた状態で固定ボルト９を挿通し、ナット１２を固定ボルト９に螺合して、第１立ち上がり辺５ａと第２立ち上がり辺６ａとを固定する。また、第１ブラケット５の第１立ち上がり辺５ｂと第２ブラケット６の第２立ち上がり辺６ｂとを対向させ、挿通孔５ｇと挿通孔６ｈを合わせた状態で固定ボルト９を挿通し、ナット１２を固定ボルト９に螺合して、第１立ち上がり辺５ｂと第２立ち上がり辺６ｂとを固定する。
【００２３】
さらに、Ｕ字ボルト７は、第２ブラケット６の第２連結辺６ｃに固定される。すなわち、Ｕ字ボルト７の両端を連結辺６ｃに形成される挿通孔６ｄ，６ｅに挿通し、この状態でナット１３をねじ部７ａ，７ｂに螺合して、Ｕ字ボルト７を第２連結辺６ｃに固定する。Ｕ字ボルト７には、コンペンチェーン（図示省略）の他端が取り付けられる。
【００２４】
本実施形態にあっては、略Ｕの字状の断面形状を有するブラケット５，６を２枚組み合わせ、第１ブラケット５を釣合いおもり枠２への取付側とするとともに、第２ブラケット６をコンペンチェーンの支持側としている。そして、コンペンチェーンを吊った際にモーメント荷重を受ける第１ブラケット５を、高い断面係数を確保できる縦方向に配置しているので、コンパクトでありつつ、強度の高いチェーン連結機構４を構築することができる。
【００２５】
釣合いおもり側のコンペンチェーンの取付位置を、釣合いおもり枠の投影面積から外れた部分としなければならない場合、従来のコンペンチェーンの取付構造では、強度を高めるために、補強部材を溶接したりしていたが、溶接構造は繰り返し荷重に対して疲労限が低いという課題がある。本実施形態では、二つのブラケットをボルトなどの締結手段で締結する構造であるので、溶接構造に比して強度の高いチェーン連結機構４を構築することができる。
【００２６】
また、第１ブラケット５は、下枠２ｃに取付ボルト８およびナット１１により締結されるとともに、第２ブラケット６は、第１ブラケット５の第１立ち上がり辺５ａ，５ｂに固定ボルト９およびナット１２により締結されている。したがって、コンペンチェーンの荷重を、ボルト締結による下枠２ｃと補強部材１０、補強部材１０と第１連結辺５ｃ、第１立ち上がり辺５ａ，５ｂと第２立ち上がり辺６ａ，６ｂのそれぞれ対向面で発生する摩擦力で受けるようになるので、ボルト８，９にせん断応力がかかるのを抑制する構造となり、堅牢性に優れたチェーン連結機構４とすることができる。
【００２７】
また、乗りかご側を基準としてコンペンチェーンを取り付けた際、釣合いおもり側のコンペンチェーンの取付位置を、釣合いおもり枠２の投影面積から外れた部分としなければならないものに容易に対応できる。
【００２８】
また、乗りかご下部の所定位置にコンペンチェーンを取り付けることを前提とすると、乗りかごの仕様に応じて、乗りかごと釣合いおもりとの間隙寸法が異なることからから、定められる許容曲げ半径を保持するために、釣合いおもり側のコンペンチェーンの取付位置を仕様に合わせて変動させる必要がある。本実施形態によれば、第１ブラケット５の幅寸法Ｌ１や挿通孔５ｄ〜５ｇの形成位置、および第２ブラケット６の幅寸法Ｌ２や挿通孔６ｄ〜６ｈの形成位置を変えることで、エレベータの仕様に合わせ、釣合いおもり１側のコンペンチェーンの取付位置を容易に変更することできる。
【００２９】
このように、本実施形態では、略Ｕの字状の断面形状を有し、対となる第１立ち上がり辺５ａ，５ｂが垂直となる向きで、これらの第１立ち上がり辺５ａ，５ｂを結ぶ第１連結辺５ｃが釣合いおもり枠２に固定される第１ブラケット５と、略Ｕの字状の断面形状を有し、対となる第２立ち上がり辺６ａ，６ｂを結ぶ第２連結辺６ｃが下側となる向きで、第２立ち上がり辺６ａ，６ｂが、第１立ち上がり辺５ａ，５ｂに固定される第２ブラケット６とを設け、第２連結辺６ｃによりコンペンチェーンの他端を支持するようにしているので、必要強度を確保し、かつ、釣合いおもり側のコンペンチェーンの取付位置を容易に変更することができる。これによって、釣合いおもり側のコンペンチェーンの取付構造を変更することなく、あらゆる仕様のエレベータ装置に対応可能となり、釣合いおもりの汎用性を高めるとともに、部品共有化により、釣合いおもりのコスト低減、ひいてはエレベータ装置のコスト低減を図ることができる。
【００３０】
次に、本発明の他の実施形態について図６を参照して説明する。図６は、本発明の他の実施形態に係るエレベータ装置の釣合いおもり下部の断面図である。  
図６に示す実施形態は、上述した実施形態に示すものより、コンペンチェーンの取付位置が釣合いおもり芯に若干近く、下枠２ｃの垂直面の真下あたりとなる仕様のエレベータ装置に対応するものである。
【００３１】
このように、コンペンチェーンの取付位置が、下枠２ｃの垂直面の真下あたりにくる場合、Ｕ字ボルト７を上述した実施形態に示す状態から９０度回転させ、一方のねじ部７ａを第２ブラケット６の第２連結辺６ｃに形成される挿通孔６ｆを利用して固定するとともに、他方のねじ部７ｂを補強部材１０に形成される挿通孔１０ａを利用して固定する。すなわち、Ｕ字ボルト７の一方のねじ部７ａを挿通孔６ｆに挿通し、この状態でナット１３をねじ部７ａに螺合して固定し、かつ、他方のねじ部７ｂを補強部材１０の挿通孔１０ａに挿通し、この状態でナット１３をねじ部７ｂに螺合して固定する。
【００３２】
このように、コンペンチェーンを連結する構造を、二つのブラケットを組合せて構成することにより、釣合いおもり側のコンペンチェーンの取付構造を基本的に変更しなくても、Ｕ字ボルトの取り付け位置の自由度が向上している。すなわち、Ｕ字ボルトのねじ部が挿通される挿通孔として、第２ブラケットの第２連結辺に形成された複数の挿通孔及び補強部材（プレート）に形成された挿通孔から二つ選定することにより、様々なエレベータ装置の仕様に対応できる。そして、本実施形態のような構成とすることにより、コンペンチェーンの取付位置が下枠２ｃの垂直面の真下あたりとなる仕様のエレベータ装置にも容易に対応することができる。
【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００３４】
例えば、上述の実施形態では、Ｕ字ボルトを用いているが、Ｕ字ボルトに代えて、特開平８‐１８８３５５号に記載のような取り付けピンを用いることができる。例えば、第２立ち上がり辺６ａ，６ｂに取り付けピンの挿通孔を形成し、それらの挿通孔に、少なくとも一旦にねじが形成された取り付けピンを挿通し、ナットにより固定する。そして、取り付けピンにコンペンチェーンの一端を連結する。この場合にも、コンペンチェーンを吊った際にモーメント荷重を受ける第１ブラケットを、高い断面係数を確保できる縦方向に配置しているので、コンパクトでありつつ、強度の高いチェーン連結機構を構築することができる。ただし、この場合、図６に示す実施形態のようなコンペンチェーンの取り付け位置を実現するのが難しいので、Ｕ字ボルトを用いるのが望ましい実施形態であると言える。また、取り付けピンを用いる場合には、第２ブラケットを省略し、第１ブラケットの第１立ち上がり辺５ａ，５ｂに取り付けピンの挿通孔を形成し、それらの挿通孔に取り付けピンを挿通し、ボルトとナットにより固定することも考えられる。
【００３５】
また、上述の実施形態では、第１ブラケットを一つの部材でＵの字状としているが、例えば、Ｌ字、逆Ｌ字の別体の組み合わせで断面が略Ｕの字状としても、上述の実施形態と同様な効果を期待できる。但し、二つの部材の位置合わせや、強度的な面で配慮が必要となるので、一つの部材で第１ブラケットを構成するのが望ましい。
【００３６】
また、上述の実施形態では、第１ブラケット及び第２ブラケットをＵの字状としているが、例えば、Ｏの字状とすることも考えられる。すなわち、Ｕの字の部分が存在すれば、上述の実施形態と同様な効果を期待できる。但し、作業性などを考慮すると、略Ｕの字の断面形状を有するブラケットを用いるのが望ましい。
【符号の説明】
【００３７】
１…釣合いおもり，２…釣合いおもり枠，２ａ，２ｂ…縦枠，２ｃ…下枠，２ｄ…上枠，３…プーリ，４…チェーン連結機構，５…第１ブラケット，５ａ，５ｂ…第１立ち上がり辺，５c…第１連結辺，６…第２ブラケット，６ａ，６ｂ…第２立ち上がり辺，６c…第２連結辺，７…Ｕ字ボルト，８…取付ボルト，９…固定ボルト，１０…補強部材，１１，１２，１３…ナット
【図１】
2018100616.tif 000003
【図２】
2018100616.tif 000004
【図３】
2018100616.tif 000005
【図４Ａ】
2018100616.tif 000006
【図４Ｂ】
2018100616.tif 000007
【図５Ａ】
2018100616.tif 000008
【図５Ｂ】
2018100616.tif 000009
【図５Ｃ】
2018100616.tif 000010
【図６】
2018100616.tif 000011
【図７】
2018100616.tif 000012
【国際調査報告】
2018100616.tif 000013
2018100616.tif 000014